(57)【要約】【課題】無線ＬＡＮやＢｌｕｅｔｏｏｔｈ（登録商標）など非接触型の周辺機器インタフェースを有する携帯端末において、周辺機器インタフェースに設定すべき通信パラメータを容易に取得・設定する方式を提供する。【解決手段】携帯端末に内蔵されたカメラにより撮影された画像から、周辺機器を携帯端末に接続するための通信パラメータを抽出し、該通信パラメータを携帯端末の周辺機器インタフェース部に設定することにより、周辺機器の接続設定を支援することを可能とする、カメラ付き携帯端末の周辺機器接続設定アシスト方式とした。【選択図】　　　図１
2004086492.tif 000002
【特許請求の範囲】
【請求項１】
移動体通信システムと通信可能な移動体無線通信手段と、周辺機器と無線通信可能な周辺機器無線通信手段と、カメラなどから成る撮像手段と、を備えた携帯端末において、
前記携帯端末は更に、前記周辺機器無線通信手段に前記周辺機器との無線通信を正しく行わせるための複数の通信パラメータを入力・設定する入力補助手段を備え、
前記入力補助手段は、１つの周辺機器のための複数の通信パラメータを入力・設定する場合に、１つの通信パラメータごとに、該通信パラメータの種別及び該通信パラメータの記載場所を前記携帯端末の備える表示部にガイダンス表示し、前記ガイダンス表示に応じた場所から前記撮像手段により撮影された画像を認識・デコードして文字列としての通信パラメータを抽出し、抽出した前記通信パラメータを確定して前記周辺機器無線通信手段の周辺機器インタフェース部に設定する、ことを特徴とするカメラ付き携帯端末の周辺機器接続設定アシスト方式。
【請求項２】
移動体通信システムと通信可能な移動体無線通信手段と、周辺機器と無線通信可能な周辺機器無線通信手段と、カメラなどから成る撮像手段と、を備えた携帯端末において、
前記携帯端末は更に、周辺機器の種別を認識判定する周辺機器認識判定手段と、前記周辺機器無線通信手段に１つの周辺機器との無線通信を正しく行わせるための複数の通信パラメータを入力・設定する入力補助手段を複数備え、
１つの周辺機器のための複数の通信パラメータを入力・設定する場合に、前記周辺機器認識判定手段は、該周辺機器の機種コードなどの記載場所を前記携帯端末の備える表示部にガイダンス表示し、前記ガイダンス表示に応じた場所から前記撮像手段により撮影された画像を認識・デコードして文字列としての機種コードなどを抽出し、抽出した前記機種コードなどに合致する何れかの前記入力補助手段を選択し、
選択された前記入力補助手段は、該周辺機器のために入力・設定することが必要な１つの通信パラメータごとに、該通信パラメータの種別及び該通信パラメータの記載場所を前記携帯端末の備える表示部にガイダンス表示し、前記ガイダンス表示に応じた場所から前記撮像手段により撮影された画像を認識・デコードして文字列としての通信パラメータを抽出し、抽出した前記通信パラメータを確定して前記周辺機器無線通信手段の周辺機器インタフェース部に設定する、ことを特徴とするカメラ付き携帯端末の周辺機器接続設定アシスト方式。
【請求項３】
請求項２に記載の携帯端末であって、前記携帯端末は、更に、前記周辺機器認識判定手段が抽出した機種コードなどに合致する入力補助手段を、前記移動体通信システムに接続されたサーバからダウンロードする入力補助手段ダウンロード手段を備える、ことを特徴とするカメラ付き携帯端末の周辺機器接続設定アシスト方式。
【請求項４】
前記入力補助手段ダウンロード手段がダウンロードした入力補助手段は、１つの周辺機器のための複数の通信パラメータを入力・設定する場合に、１つの通信パラメータごとに、該通信パラメータの種別及び該通信パラメータの記載場所を前記携帯端末の備える表示部にガイダンス表示し、前記ガイダンス表示に応じた場所から前記撮像手段により撮影された画像を認識・デコードして文字列としての通信パラメータを抽出し、抽出した前記通信パラメータを確定して前記周辺機器無線通信手段の周辺機器インタフェース部に設定する、ことを特徴とする請求項３に記載のカメラ付き携帯端末の周辺機器接続設定アシスト方式。
【請求項５】
移動体通信システムと通信可能な移動体無線通信手段と、周辺機器と無線通信可能な周辺機器無線通信手段と、カメラなどから成る撮像手段と、を備えた携帯端末において、
前記携帯端末は更に、周辺機器の種別を認識判定する周辺機器認識判定手段と、前記周辺機器無線通信手段に１つの周辺機器との無線通信を正しく行わせるための複数の通信パラメータを入力・設定するＷＥＢ画面に、前記移動体通信システムを介して接続するＷＥＢ画面接続手段と、を備えることを特徴とするカメラ付き携帯端末の周辺機器接続設定アシスト方式。
【請求項６】
請求項５に記載の携帯端末であって、１つの周辺機器のための複数の通信パラメータを入力・設定する場合に、前記周辺機器認識判定手段は、該周辺機器の機種コードなどの記載場所を前記携帯端末の備える表示部にガイダンス表示し、前記ガイダンス表示に応じた場所から前記撮像手段により撮影された画像を認識・デコードして文字列としての機種コードなどを抽出し、
その後、前記ＷＥＢ画面接続手段は、抽出された前記機種コードに合致するＷＥＢ画面に接続し、接続された前記ＷＥＢ画面上で、該周辺機器のために入力・設定することが必要な１つの通信パラメータごとに、該通信パラメータの種別及び該通信パラメータの記載場所のガイダンス表示に従って、前記ガイダンス表示に応じた場所から前記撮像手段により撮影された画像を認識・デコードして文字列としての通信パラメータを抽出し、抽出した前記パラメータを前記ＷＥＢ画面の入力ＢＯＸに格納し、全ての通信パラメータを入力ＢＯＸに格納した後、前記ＷＥＢ画面を開設しているサーバにアップロードし、次に前記サーバから前記全ての通信パラメータの確定値をダウンロードし、ダウンロードした前記全ての通信パラメータの確定値を、前記周辺機器無線通信手段の周辺機器インタフェース部に設定する、ことを特徴とするカメラ付き携帯端末の周辺機器接続設定アシスト方式。
【請求項７】
前記携帯端末は、更に、前記周辺機器無線通信手段の前記周辺機器インタフェース部に設定した通信パラメータの確定値をファイル化して電子メールに添付して他の装置に送信する電子メール送信手段と、他の装置から通信パラメータの確定値をファイル化して添付した電子メールを受信し、受信した通信パラメータの確定値を、自身の前記周辺機器無線通信手段の前記周辺機器インタフェース部に設定する電子メール受信手段と、を備えることを特徴とする請求項１から請求項４の何れか１項に記載のカメラ付き携帯端末の周辺機器接続設定アシスト方式。
【請求項８】
前記携帯端末の備える表示部にガイダンス表示される通信パラメータの記載場所は、該当周辺機器の取扱説明書の特定ページ或いは該当周辺機器の外箱に貼付のラベルなどの何れかから選択される予め定められた場所である、ことを特徴とする請求項１から請求項４の何れか１項に記載のカメラ付き携帯端末の周辺機器接続設定アシスト方式。
【請求項９】
前記ＷＥＢ画面にガイダンス表示される通信パラメータの記載場所は、該当周辺機器の取扱説明書の特定ページ或いは該当周辺機器の外箱に貼付のラベルなどの何れかから選択される予め定められた場所である、ことを特徴とする請求項６に記載のカメラ付き携帯端末の周辺機器接続設定アシスト方式。
【請求項１０】
前記携帯端末の備える表示部にガイダンス表示される周辺機器の機種コードなどの記載場所は、該当周辺機器の取扱説明書の特定ページ或いは該当周辺機器の外箱に貼付のラベル或いは該当周辺機器の保証書に貼付のラベルなどの何れかから選択される予め定められた場所である、ことを特徴とする請求項２から請求項４、或いは請求項６の何れか１項に記載のカメラ付き携帯端末の周辺機器接続設定アシスト方式。
【請求項１１】
前記携帯端末は、携帯電話或いはＰＨＳ端末の何れかである、ことを特徴とする請求項１から請求項１０の何れか１項に記載のカメラ付き携帯端末の周辺機器接続設定アシスト方式。
【請求項１２】
前記周辺機器無線通信手段は、無線ＬＡＮ或いはＢｌｕｅｔｏｏｔｈ（登録商標）の何れかの無線インタフェース規格による無線インタフェースにより前記周辺機器と無線通信を行うものである、ことを特徴とする請求項１から請求項１１の何れか１項に記載のカメラ付き携帯端末の周辺機器接続設定アシスト方式。
【請求項１３】
移動体通信システムと通信可能な移動体無線通信手段と、周辺機器と無線通信可能な周辺機器無線通信手段と、カメラなどから成る撮像手段と、を備えた携帯端末において、
前記携帯端末は更に、前記周辺機器無線通信手段に前記周辺機器との無線通信を正しく行わせるための複数の通信パラメータを入力・設定するウィザードを備え、
前記ウィザードは、１つの周辺機器のための複数の通信パラメータを入力・設定する場合に、１つの通信パラメータごとに、該通信パラメータの種別及び該通信パラメータの記載場所を前記携帯端末の備える表示部にガイダンス表示し、前記ガイダンス表示に応じた場所から前記撮像手段により撮影された画像を認識・デコードして文字列としての通信パラメータを抽出し、抽出した前記通信パラメータを確定して前記周辺機器無線通信手段の周辺機器インタフェース部に設定する、ことを特徴とするカメラ付き携帯端末の周辺機器接続設定アシスト方法。
【請求項１４】
移動体通信システムと通信可能な移動体無線通信手段と、周辺機器と無線通信可能な周辺機器無線通信手段と、カメラなどから成る撮像手段と、を備えた携帯端末において、
前記携帯端末は更に、周辺機器の種別を認識判定する周辺機器認識判定手段と、前記周辺機器無線通信手段に１つの周辺機器との無線通信を正しく行わせるための複数の通信パラメータを入力・設定するウィザードを複数備え、
１つの周辺機器のための複数の通信パラメータを入力・設定する場合に、前記周辺機器認識判定手段は、該周辺機器の機種コードなどの記載場所を前記携帯端末の備える表示部にガイダンス表示し、前記ガイダンス表示に応じた場所から前記撮像手段により撮影された画像を認識・デコードして文字列としての機種コードなどを抽出し、抽出した前記機種コードなどに合致する何れかの前記ウィザードを選択し、
選択された前記ウィザードは、該周辺機器のために入力・設定することが必要な１つの通信パラメータごとに、該通信パラメータの種別及び該通信パラメータの記載場所を前記携帯端末の備える表示部にガイダンス表示し、前記ガイダンス表示に応じた場所から前記撮像手段により撮影された画像を認識・デコードして文字列としての通信パラメータを抽出し、抽出した前記通信パラメータを確定して前記周辺機器無線通信手段の周辺機器インタフェース部に設定する、ことを特徴とするカメラ付き携帯端末の周辺機器接続設定アシスト方法。
【請求項１５】
請求項１４に記載の携帯端末であって、前記携帯端末は、更に、前記周辺機器認識判定手段が抽出した機種コードなどに合致するウィザードを、前記移動体通信システムに接続されたサーバからダウンロードする、ことを特徴とするカメラ付き携帯端末の周辺機器接続設定アシスト方法。
【請求項１６】
ダウンロードした前記ウィザードは、１つの周辺機器のための複数の通信パラメータを入力・設定する場合に、１つの通信パラメータごとに、該通信パラメータの種別及び該通信パラメータの記載場所を前記携帯端末の備える表示部にガイダンス表示し、前記ガイダンス表示に応じた場所から前記撮像手段により撮影された画像を認識・デコードして文字列としての通信パラメータを抽出し、抽出した前記通信パラメータを確定して前記周辺機器無線通信手段の周辺機器インタフェース部に設定する、ことを特徴とする請求項１５に記載のカメラ付き携帯端末の周辺機器接続設定アシスト方法。
【発明の詳細な説明】
【０００１】
【発明の属する技術分野】
本発明はカメラ付き携帯端末の周辺機器接続設定アシスト方式及びその方法に関し、特に、携帯端末に内蔵されたカメラにより撮影された画像から、周辺機器を携帯端末に接続するための通信パラメータを抽出し、該通信パラメータを携帯端末の周辺機器インタフェース部に設定することにより、周辺機器の接続設定を支援することを可能とする、カメラ付き携帯端末の周辺機器接続設定アシスト方式及びその方法に関する。
【０００２】
【従来の技術】
近年、携帯電話やＰＨＳ（Ｐｅｒｓｏｎａｌ　Ｈａｎｄｙｐｈｏｎｅ　Ｓｙｓｔｅｍ：パーソナル・ハンディホン・システム）端末などの携帯端末にも、無線ＬＡＮ（Ｌｏｃａｌ　Ａｒｅａ　Ｎｅｔｗｏｒｋ：ラン）やＢｌｕｅｔｏｏｔｈ（登録商標）などの無線インタフェース規格による非接触型の周辺機器インタフェースが搭載されるようになってきている。
【０００３】
非接触型の周辺機器インタフェースは、携帯端末と、プリンターやパーソナル・コンピュータ、或いはディジタル・カメラやＰＤＡ（Ｐｅｒｓｏｎａｌ　Ｄｉｇｉｔａｌ　Ａｓｓｉｓｔａｎｃｅ：携帯情報端末）などの周辺機器とを、無線により接続可能とするものであるため、ＵＳＢ（Ｕｎｉｖｅｒｓａｌ　Ｓｅｒｉａｌ　Ｂｕｓ：ユニバーサル・シリアル・バス）やＲＳ−２３２Ｃ規格準拠のインタフェースのようにケーブルで接続する必要は無く、また、ＩｒＤＡ（Ｉｎｆｒａ−ｒｅｄ　Ｄａｔａ　Ａｓｓｏｃｉａｔｉｏｎ：赤外線データ通信協会）規格による赤外線を用いたデータ通信のように、携帯端末と周辺機器とを向かい合わせにするというような位置関係に留意する必要も無く、利便性の高いインタフェースである。
【０００４】
【発明が解決しようとする課題】
しかしながら、上述した非接触型の周辺機器インタフェースを用いて、携帯端末と周辺機器との通信を行わせるためには、携帯端末側で通信相手を正しく識別するための通信パラメータの設定を、正しく行うことが必要となる。通信相手を正しく識別するための通信パラメータとしては、例えば、通信相手のデバイス名や機器ＩＤ番号、或いは、無線アドレスや通信相手との間で設定したパスワードなどが有り、周辺機器の種類によっては、その他の通信パラメータも設定しておくことが必須の条件となっている。
【０００５】
これらの通信パラメータを予め正しく設定しておかない場合には、偶然近くに来た人などが所有する他の周辺機器と、通信接続してしまう可能性があるものであるため、周辺機器の取扱説明書などには、通信パラメータの種類やその設定手順等に関して、詳細な説明が成されているが、一般的な携帯端末等のユーザにとっては、これら通信パラメータの設定はかなり困難な作業となっている場合が多く見受けられる。
【０００６】
本発明は、上述した通信パラメータの設定を容易に行わせるために成されたものであり、本発明の目的は、携帯端末に内蔵されたカメラにより撮影された画像から、周辺機器を携帯端末に接続するための通信パラメータを抽出し、該通信パラメータを携帯端末の周辺機器インタフェース部に設定することにより、周辺機器の接続設定を支援することを可能とする、カメラ付き携帯端末の周辺機器接続設定アシスト方式及びその方法を提供することにある。
【０００７】
【課題を解決するための手段】
請求項１に係わる発明は、移動体通信システムと通信可能な移動体無線通信手段と、周辺機器と無線通信可能な周辺機器無線通信手段と、カメラなどから成る撮像手段と、を備えた携帯端末において、
前記携帯端末は更に、前記周辺機器無線通信手段に前記周辺機器との無線通信を正しく行わせるための複数の通信パラメータを入力・設定する入力補助手段を備え、
前記入力補助手段は、１つの周辺機器のための複数の通信パラメータを入力・設定する場合に、１つの通信パラメータごとに、該通信パラメータの種別及び該通信パラメータの記載場所を前記携帯端末の備える表示部にガイダンス表示し、前記ガイダンス表示に応じた場所から前記撮像手段により撮影された画像を認識・デコードして文字列としての通信パラメータを抽出し、抽出した前記通信パラメータを確定して前記周辺機器無線通信手段の周辺機器インタフェース部に設定する、ことを特徴とするカメラ付き携帯端末の周辺機器接続設定アシスト方式である。
【０００８】
請求項２に係わる発明は、移動体通信システムと通信可能な移動体無線通信手段と、周辺機器と無線通信可能な周辺機器無線通信手段と、カメラなどから成る撮像手段と、を備えた携帯端末において、
前記携帯端末は更に、周辺機器の種別を認識判定する周辺機器認識判定手段と、前記周辺機器無線通信手段に１つの周辺機器との無線通信を正しく行わせるための複数の通信パラメータを入力・設定する入力補助手段を複数備え、
１つの周辺機器のための複数の通信パラメータを入力・設定する場合に、前記周辺機器認識判定手段は、該周辺機器の機種コードなどの記載場所を前記携帯端末の備える表示部にガイダンス表示し、前記ガイダンス表示に応じた場所から前記撮像手段により撮影された画像を認識・デコードして文字列としての機種コードなどを抽出し、抽出した前記機種コードなどに合致する何れかの前記入力補助手段を選択し、
選択された前記入力補助手段は、該周辺機器のために入力・設定することが必要な１つの通信パラメータごとに、該通信パラメータの種別及び該通信パラメータの記載場所を前記携帯端末の備える表示部にガイダンス表示し、前記ガイダンス表示に応じた場所から前記撮像手段により撮影された画像を認識・デコードして文字列としての通信パラメータを抽出し、抽出した前記通信パラメータを確定して前記周辺機器無線通信手段の周辺機器インタフェース部に設定する、ことを特徴とするカメラ付き携帯端末の周辺機器接続設定アシスト方式である。
【０００９】
請求項３に係わる発明は、請求項２に記載の携帯端末であって、前記携帯端末は、更に、前記周辺機器認識判定手段が抽出した機種コードなどに合致する入力補助手段を、前記移動体通信システムに接続されたサーバからダウンロードする入力補助手段ダウンロード手段を備える、ことを特徴とするカメラ付き携帯端末の周辺機器接続設定アシスト方式である。
【００１０】
請求項４に係わる発明は、請求項３に記載のカメラ付き携帯端末の周辺機器接続設定アシスト方式であって、前記入力補助手段ダウンロード手段がダウンロードした入力補助手段は、１つの周辺機器のための複数の通信パラメータを入力・設定する場合に、１つの通信パラメータごとに、該通信パラメータの種別及び該通信パラメータの記載場所を前記携帯端末の備える表示部にガイダンス表示し、前記ガイダンス表示に応じた場所から前記撮像手段により撮影された画像を認識・デコードして文字列としての通信パラメータを抽出し、抽出した前記通信パラメータを確定して前記周辺機器無線通信手段の周辺機器インタフェース部に設定する、ことを特徴とする。
【００１１】
請求項５に係わる発明は、移動体通信システムと通信可能な移動体無線通信手段と、周辺機器と無線通信可能な周辺機器無線通信手段と、カメラなどから成る撮像手段と、を備えた携帯端末において、
前記携帯端末は更に、周辺機器の種別を認識判定する周辺機器認識判定手段と、前記周辺機器無線通信手段に１つの周辺機器との無線通信を正しく行わせるための複数の通信パラメータを入力・設定するＷＥＢ画面に、前記移動体通信システムを介して接続するＷＥＢ画面接続手段と、を備えることを特徴とするカメラ付き携帯端末の周辺機器接続設定アシスト方式である。
【００１２】
請求項６に係わる発明は、請求項５に記載の携帯端末であって、１つの周辺機器のための複数の通信パラメータを入力・設定する場合に、前記周辺機器認識判定手段は、該周辺機器の機種コードなどの記載場所を前記携帯端末の備える表示部にガイダンス表示し、前記ガイダンス表示に応じた場所から前記撮像手段により撮影された画像を認識・デコードして文字列としての機種コードなどを抽出し、
その後、前記ＷＥＢ画面接続手段は、抽出された前記機種コードに合致するＷＥＢ画面に接続し、接続された前記ＷＥＢ画面上で、該周辺機器のために入力・設定することが必要な１つの通信パラメータごとに、該通信パラメータの種別及び該通信パラメータの記載場所のガイダンス表示に従って、前記ガイダンス表示に応じた場所から前記撮像手段により撮影された画像を認識・デコードして文字列としての通信パラメータを抽出し、抽出した前記パラメータを前記ＷＥＢ画面の入力ＢＯＸに格納し、全ての通信パラメータを入力ＢＯＸに格納した後、前記ＷＥＢ画面を開設しているサーバにアップロードし、次に前記サーバから前記全ての通信パラメータの確定値をダウンロードし、ダウンロードした前記全ての通信パラメータの確定値を、前記周辺機器無線通信手段の周辺機器インタフェース部に設定する、ことを特徴とするカメラ付き携帯端末の周辺機器接続設定アシスト方式である。
【００１３】
請求項７に係わる発明は、請求項１から請求項４の何れか１項に記載のカメラ付き携帯端末の周辺機器接続設定アシスト方式であって、前記携帯端末は、更に、前記周辺機器無線通信手段の前記周辺機器インタフェース部に設定した通信パラメータの確定値をファイル化して電子メールに添付して他の装置に送信する電子メール送信手段と、他の装置から通信パラメータの確定値をファイル化して添付した電子メールを受信し、受信した通信パラメータの確定値を、自身の前記周辺機器無線通信手段の前記周辺機器インタフェース部に設定する電子メール受信手段と、を備えることを特徴とする。
【００１４】
請求項８に係わる発明は、請求項１から請求項４の何れか１項に記載のカメラ付き携帯端末の周辺機器接続設定アシスト方式であって、前記携帯端末の備える表示部にガイダンス表示される通信パラメータの記載場所は、該当周辺機器の取扱説明書の特定ページ或いは該当周辺機器の外箱に貼付のラベルなどの何れかから選択される予め定められた場所である、ことを特徴とする。
【００１５】
請求項９に係わる発明は、請求項６に記載のカメラ付き携帯端末の周辺機器接続設定アシスト方式であって、前記ＷＥＢ画面にガイダンス表示される通信パラメータの記載場所は、該当周辺機器の取扱説明書の特定ページ或いは該当周辺機器の外箱に貼付のラベルなどの何れかから選択される予め定められた場所である、ことを特徴とする。
【００１６】
請求項１０に係わる発明は、請求項２から請求項４、或いは請求項６の何れか１項に記載のカメラ付き携帯端末の周辺機器接続設定アシスト方式であって、前記携帯端末の備える表示部にガイダンス表示される周辺機器の機種コードなどの記載場所は、該当周辺機器の取扱説明書の特定ページ或いは該当周辺機器の外箱に貼付のラベル或いは該当周辺機器の保証書に貼付のラベルなどの何れかから選択される予め定められた場所である、ことを特徴とする。
【００１７】
請求項１１に係わる発明は、請求項１から請求項１０の何れか１項に記載のカメラ付き携帯端末の周辺機器接続設定アシスト方式であって、前記携帯端末は、携帯電話或いはＰＨＳ端末の何れかである、ことを特徴とする。
【００１８】
請求項１２に係わる発明は、請求項１から請求項１１の何れか１項に記載のカメラ付き携帯端末の周辺機器接続設定アシスト方式であって、前記周辺機器無線通信手段は、無線ＬＡＮ或いはＢｌｕｅｔｏｏｔｈ（登録商標）の何れかの無線インタフェース規格による無線インタフェースにより前記周辺機器と無線通信を行うものである、ことを特徴とする。
【００１９】
請求項１３に係わる発明は、移動体通信システムと通信可能な移動体無線通信手段と、周辺機器と無線通信可能な周辺機器無線通信手段と、カメラなどから成る撮像手段と、を備えた携帯端末において、
前記携帯端末は更に、前記周辺機器無線通信手段に前記周辺機器との無線通信を正しく行わせるための複数の通信パラメータを入力・設定するウィザードを備え、
前記ウィザードは、１つの周辺機器のための複数の通信パラメータを入力・設定する場合に、１つの通信パラメータごとに、該通信パラメータの種別及び該通信パラメータの記載場所を前記携帯端末の備える表示部にガイダンス表示し、前記ガイダンス表示に応じた場所から前記撮像手段により撮影された画像を認識・デコードして文字列としての通信パラメータを抽出し、抽出した前記通信パラメータを確定して前記周辺機器無線通信手段の周辺機器インタフェース部に設定する、ことを特徴とするカメラ付き携帯端末の周辺機器接続設定アシスト方法である。
【００２０】
請求項１４に係わる発明は、移動体通信システムと通信可能な移動体無線通信手段と、周辺機器と無線通信可能な周辺機器無線通信手段と、カメラなどから成る撮像手段と、を備えた携帯端末において、
前記携帯端末は更に、周辺機器の種別を認識判定する周辺機器認識判定手段と、前記周辺機器無線通信手段に１つの周辺機器との無線通信を正しく行わせるための複数の通信パラメータを入力・設定するウィザードを複数備え、
１つの周辺機器のための複数の通信パラメータを入力・設定する場合に、前記周辺機器認識判定手段は、該周辺機器の機種コードなどの記載場所を前記携帯端末の備える表示部にガイダンス表示し、前記ガイダンス表示に応じた場所から前記撮像手段により撮影された画像を認識・デコードして文字列としての機種コードなどを抽出し、抽出した前記機種コードなどに合致する何れかの前記ウィザードを選択し、
選択された前記ウィザードは、該周辺機器のために入力・設定することが必要な１つの通信パラメータごとに、該通信パラメータの種別及び該通信パラメータの記載場所を前記携帯端末の備える表示部にガイダンス表示し、前記ガイダンス表示に応じた場所から前記撮像手段により撮影された画像を認識・デコードして文字列としての通信パラメータを抽出し、抽出した前記通信パラメータを確定して前記周辺機器無線通信手段の周辺機器インタフェース部に設定する、ことを特徴とするカメラ付き携帯端末の周辺機器接続設定アシスト方法である。
【００２１】
請求項１５に係わる発明は、請求項１４に記載の携帯端末であって、前記携帯端末は、更に、前記周辺機器認識判定手段が抽出した機種コードなどに合致するウィザードを、前記移動体通信システムに接続されたサーバからダウンロードする、ことを特徴とするカメラ付き携帯端末の周辺機器接続設定アシスト方法である。
【００２２】
請求項１６に係わる発明は、請求項１５に記載のカメラ付き携帯端末の周辺機器接続設定アシスト方法であって、ダウンロードした前記ウィザードは、１つの周辺機器のための複数の通信パラメータを入力・設定する場合に、１つの通信パラメータごとに、該通信パラメータの種別及び該通信パラメータの記載場所を前記携帯端末の備える表示部にガイダンス表示し、前記ガイダンス表示に応じた場所から前記撮像手段により撮影された画像を認識・デコードして文字列としての通信パラメータを抽出し、抽出した前記通信パラメータを確定して前記周辺機器無線通信手段の周辺機器インタフェース部に設定する、ことを特徴とする。
【００２３】
【発明の実施の形態】
次に、本発明の実施の形態について図面を参照して説明する。
【００２４】
図１は、本発明のカメラ付き携帯端末の周辺機器接続設定アシスト方式の一実施形態を示すブロック図である。
【００２５】
図１に示す本実施の形態は、携帯端末１００と周辺機器２００とから構成されている。
【００２６】
携帯端末１００は、携帯電話或いはＰＨＳ端末など、携帯可能な電話機であり、無線ＬＡＮ或いはＢｌｕｅｔｏｏｔｈ（登録商標）などの無線インタフェース規格による非接触型の周辺機器インタフェースが搭載されている。
【００２７】
周辺機器２００は、携帯端末１００と同様の無線ＬＡＮ或いはＢｌｕｅｔｏｏｔｈ（登録商標）などの無線インタフェース規格による無線インタフェースが搭載されており、該無線インタフェースにより携帯端末１００と無線通信可能な機器である。周辺機器２００としては、例えば、パーソナル・コンピュータ、プリンター、ディジタル・カメラ、ＰＤＡ、或いは他の携帯電話やＰＨＳ端末、或いはその他の機器などの内の何れかの機器である。
【００２８】
携帯端末１００は、携帯電話やＰＨＳなどの通信事業者が提供する移動体通信システムと無線接続する為のアンテナ１０１と、該アンテナ１０１の無線送受信の制御を行う送受信部１０２と、を備えている。また、周辺機器２００との間で、無線ＬＡＮ或いはＢｌｕｅｔｏｏｔｈ（登録商標）などの無線インタフェース規格による無線通信の制御を行うと共に、周辺機器インタフェースとして機能する周辺機器間通信用送受信部１０８と、該周辺機器間通信用送受信部１０８の制御により周辺機器２００との間の無線接続を行うアンテナ１０９と、を備えている。携帯端末１００は、更に、携帯端末１００に内蔵或いは外付けされたカメラであるところの撮像部１１０と、電話機として機能するための音声の受話器１０４と送話器１０５、及び文字表示などを行う表示部１０６と操作の為の数字キーなどを備える操作部１０７と、上述した各部位を総括・制御する制御部１０３と、を備えている。
【００２９】
なお、携帯端末１００の制御部１０３には、撮像部１１０が撮影した画像の認識と画像内の文字列などから通信パラメータを抽出する画像認識・デコード部１１１が備えられている。また、画像認識・デコード部１１１が抽出した通信パラメータは、周辺機器インタフェースとして機能する周辺機器間通信用送受信部１０８に設定されることにより、周辺機器２００を正しい通信相手として識別可能に構成されている。また、携帯端末１００の制御部１０３は、電子メールの送受信機能を有している。
【００３０】
次に、図２を参照して、本実施形態の動作について説明する。
【００３１】
図２は、本実施形態の動作を説明するフローチャートである。
【００３２】
図２において、携帯端末１００が待ち受けの状態にあるとき（図２のＳ２０１）、周辺機器間通信用送受信部１０８の周辺機器インタフェースの通信パラメータ設定を行うモードを選択されると（Ｓ２０２）、携帯端末１００は、自身の保有している該当する周辺機器のパラメータリストに従って、入力が必要な通信パラメータ及びその通信パラメータに関する情報が記載されている場所を、表示部１０６にガイダンス表示して（Ｓ２０３）、携帯端末１００の所有者に対し通信パラメータの撮影を促す。
【００３３】
ここで、通信パラメータとは、無線接続を行いたい周辺機器２００の機器ＩＤ番号（Ｉｄｅｎｔｉｆｉｃａｔｉｏｎ　Ｃｏｄｅ：識別コード）、或いは無線アドレス（或いはデバイスアドレス）などであり、例えば機器ＩＤ番号は、周辺機器２００の取扱説明書もしくは外箱等に貼付されたラベルなどに印刷されているものである。そこで、ステップＳ２０３におけるガイダンス表示では、入力が必要な通信パラメータは「機器ＩＤ番号」であり、その通信パラメータに関する情報が記載されている場所は「取扱説明書の○ページ、○行目」、或いは「外箱に貼付のラベル」というようなガイダンス表示を行う。
【００３４】
その後、携帯端末１００の所有者は、撮像部１１０を用いてガイダンス表示された通信パラメータをガイダンス表示された場所から撮影する。
【００３５】
携帯端末１００は、撮像部１１０による撮影が完了したかを判定し（Ｓ２０４）、撮影が完了していない場合は（ステップＳ２０４でＮｏ）、ステップＳ２０４に戻り、撮影の完了を待つ。
【００３６】
撮影が完了した場合は（ステップＳ２０４でＹｅｓ）、携帯端末１００は、画像認識・デコード部１１１により、撮影された画像の認識と画像内の文字列（英数字の列）のデコードを行い（Ｓ２０５）、デコードした結果が入力規則に合致しているかの確認・判定を行う（Ｓ２０６）。ここで、入力規則とは、例えば、通信パラメータが「機器ＩＤ番号」であればその桁数などであり、入力規則に合致していないと判定した場合には（ステップＳ２０６でＮＧ（Ｎｏ　Ｇｏｏｄ））、再度の撮影を促す為の再入力表示を表示部１０６に行い（Ｓ２０７）、ステップＳ２０４に戻って、再度の撮影完了を待つ。
【００３７】
入力規則に合致していると判定した場合は（ステップＳ２０６でＯＫ）、今撮影され入力された通信パラメータを決定値とする（例えば、「機器ＩＤ番号」を決定する処理を行う）。そして、該当する周辺機器の通信パラメータとして次の入力項目が有るか否かについて、携帯端末１００が保有しているパラメータリストに従って判定を行う（Ｓ２０８）。例えば、該当周辺機器では、更に、「無線アドレス」を通信パラメータとして設定する必要がある場合には、次の入力項目が有ると判定し（ステップＳ２０８でＹｅｓ）、ステップＳ２０３に戻って、次に入力すべき通信パラメータの撮影のガイダンス表示を行うことにより、次の通信パラメータの撮影と入力を行わせる。
【００３８】
次に入力すべき通信パラメータが無くなった場合には（ステップＳ２０８でＮｏ）、それまでに撮影されて入力された全ての通信パラメータを確定し、確定した全ての通信パラメータを、周辺機器間通信用送受信部１０８に設定し保存する（Ｓ２０９）。そして、ステップＳ２０１の待ち受けに戻る。
【００３９】
尚、図２を参照して説明したように、本実施形態においては、携帯端末１００の周辺機器間通信用送受信部１０８の周辺機器インタフェースに設定する必要のある通信パラメータごとに、予め決められたパラメータリストの順番に従って、入力が必要な通信パラメータ及びその通信パラメータに関する情報が記載されている場所を、表示部１０６にガイダンス表示し、ガイダンス表示に従って撮像部１１０で撮影された画像から文字列（英数字の列）を認識して個々の通信パラメータの決定値を得るようにしているため、これら一連の動作を、通信パラメータの入力補助機能、すなわち、一連の対話形式の質問に答えていくことにより通信パラメータを設定できる機能、として捉えることが可能である。従って、上述した通信パラメータの入力補助機能をウィザード（ｗｉｚａｒｄ）と称することとする。
【００４０】
以上説明したように、本実施形態によれば、携帯端末１００に付いているカメラを用いて、ウィザード機能のガイダンス表示に従って該当周辺機器の通信パラメータを設定できるので、通信パラメータの設定を容易に行うことが可能となる。
【００４１】
なお、本実施形態の携帯端末１００に、更に、周辺機器間通信用送受信部１０８に設定して保存した通信パラメータをファイル化し、ファイル化した通信パラメータを電子メールに添付して他の装置に送信する機能、及び、他の装置からファイル化した通信パラメータを添付した電子メールを受信し、受信した通信パラメータを自身の周辺機器間通信用送受信部１０８に設定する機能、を追加することにより、一層好適な携帯端末１００を得ることが可能となる。上述の追加機能を有する携帯端末１００により、より容易に通信パラメータの設定を行うことが可能となる。
【００４２】
次に、図３、図４を参照して、本発明の第２の実施形態について説明する。
【００４３】
本発明の第２の実施形態は、図１に示した第１の実施形態の携帯端末１００が、その制御部１０３内に周辺機器別通信パラメータリスト１２０を更に保有している点でのみ、第１の実施形態と異なっているものである。
【００４４】
図３は、第２の実施形態の携帯端末が保有する周辺機器別通信パラメータリストの一例を示す図である。
【００４５】
図３において、周辺機器別通信パラメータリスト１２０は、携帯端末１００の制御部１０３内に保有されている周辺機器別の通信パラメータの種類、及びその通信パラメータに関する情報が記載されている場所を示すテーブルである。
【００４６】
図３の周辺機器別通信パラメータリスト１２０は、その行方向に周辺機器種別の行１２１と、周辺機器種別ごとの通信パラメータリストの行１２２とを備えている。周辺機器種別の行１２１には、一例として、パーソナル・コンピュータとプリンターが記載されており、パーソナル・コンピュータの欄は更に、Ａ社製○○という機種（或いは商品名若しくは商品体系コード）と、Ｂ社製○□という機種（或いは商品名若しくは商品体系コード）の欄に分けられており、プリンターの欄は、Ｃ社製××という機種（或いは商品名若しくは商品体系コード）の欄が記載されている。
【００４７】
そして、例えば、Ａ社製○○という機種のパーソナル・コンピュータは、その通信パラメータとして、列１２４に示すように「機器ＩＤ番号」と「無線アドレス」とを有しており、各通信パラメータに関する情報が記載されている場所は、列１２５に示すように、「機器ＩＤ番号」は場所＝「○○１」に記載されており、「無線アドレス」は場所＝「○○２」に記載されている、事を示している。なお、場所＝「○○１」は、具体的には、「取扱説明書の○ページ、○行目」、或いは「外箱に貼付のラベル」などである。
【００４８】
また、Ｂ社製○□という機種のパーソナル・コンピュータは、その通信パラメータとしては、列１２６に示すように「機器ＩＤ番号」だけを有しており、その通信パラメータに関する情報が記載されている場所は、列１２７に示すように場所＝「○□１」である事を示している。更に、Ｃ社製××という機種のプリンターは、列１２８に示すように、複数（「××１１」、「××２１」、「××３１」・・・）の通信パラメータを有していることを示している。
【００４９】
次に、図４を参照して、第２の実施形態の動作について説明する。
【００５０】
図４は、第２の実施形態の動作を説明するフローチャートである。
【００５１】
図４において、携帯端末１００が待ち受けの状態にあるとき（図４のＳ３０１）、周辺機器間通信用送受信部１０８の周辺機器インタフェースの通信パラメータ設定を行うモードを選択されると（Ｓ３０２）、携帯端末１００は、自身の保有している周辺機器別通信パラメータリスト１２０の周辺機器種別（行１２１）を選択する為に、先ず、無線接続しようとしている周辺機器が何であるかを認識するための情報が記載されている場所を、表示部１０６にガイダンス表示して（Ｓ３０３）、携帯端末１００の所有者に対し周辺機器の機種名などの撮影を促す。周辺機器が何であるかを認識するための情報が記載されている場所とは、例えば、該当周辺機器本体の保証書に貼付のラベル、などであり、通常、該ラベルには周辺機器の機種名などが記載されている。
【００５２】
その後、携帯端末１００の所有者は、撮像部１１０を用いてガイダンス表示された場所から周辺機器の機種名などの撮影を行う。
【００５３】
携帯端末１００は、撮像部１１０による撮影が完了したかを判定し（Ｓ３０４）、撮影が完了していない場合は（ステップＳ３０４でＮｏ）、ステップＳ３０４に戻り、撮影の完了を待つ。
【００５４】
撮影が完了した場合は（ステップＳ３０４でＹｅｓ）、携帯端末１００は、画像認識・デコード部１１１により、撮影された画像の認識と画像内の文字列のデコードを行い（Ｓ３０５）、周辺機器の機種名などの抽出を行う。抽出した周辺機器の機種名などから、携帯端末１００は、周辺機器別通信パラメータリスト１２０の周辺機器種別（行１２１）を選択し、該当周辺機器の通信パラメータのリストを準備する（Ｓ３０６）。例えば、抽出した機種名などから該当周辺機器が「Ａ社製○○」という機種と判定された場合は、周辺機器別通信パラメータリスト１２０の列１２４（及び列１２５）の「機器ＩＤ番号」と「無線アドレス」が該当周辺機器の通信パラメータのリストとなる。
【００５５】
その後、携帯端末１００は、ステップＳ３０６で準備した通信パラメータのリストに従い、該当通信パラメータ及びその通信パラメータに関する情報が記載されている場所を、表示部１０６にガイダンス表示して（Ｓ３０７）、該当通信パラメータの撮影・画像認識・確定を行い、全ての通信パラメータが確定されると、確定した全ての通信パラメータを、周辺機器間通信用送受信部１０８に設定し保存する（Ｓ３１３）。そして、ステップＳ３０１の待ち受けに戻る。
【００５６】
なお、図４のステップＳ３０７からステップＳ３１３迄の動作ステップは、図２にて説明したステップＳ２０３からステップＳ２０９迄の動作ステップと全く同一である為、これ以上の説明を省略するものとする。
【００５７】
図４を参照して説明したように、第２の実施形態においては、先ず周辺機器の機種名（或いは商品名若しくは商品体系コード）を撮像部１１０で撮影して文字列として認識させると、認識結果の周辺機器種別に最適なウィザードを選択して、通信パラメータの入力を補助しているものである、という事ができる。
【００５８】
以上説明したように、本発明の第２の実施形態によれば、無線接続を行いたい周辺機器個別に通信パラメータを設定可能となる為、周辺機器毎に最適な通信条件で無線通信を行う事が可能となる。
【００５９】
なお、第２の実施形態の携帯端末１００に、更に、周辺機器間通信用送受信部１０８に設定して保存した通信パラメータをファイル化し、ファイル化した通信パラメータを電子メールに添付して他の装置に送信する機能、及び、他の装置からファイル化した通信パラメータを添付した電子メールを受信し、受信した通信パラメータを自身の周辺機器間通信用送受信部１０８に設定する機能、を追加することにより、一層好適な携帯端末１００を得ることが可能となる。上述の追加機能を有する携帯端末１００により、より容易に通信パラメータの設定を行うことが可能となる。
【００６０】
次に、図５、図６を参照して、本発明の第３の実施形態について説明する。
【００６１】
図５は、本発明の第３の実施形態を示すブロック図である。
【００６２】
図５に示す実施形態は、本発明のカメラ付き携帯端末の周辺機器接続設定アシスト方式の第３の実施形態を示すブロック図であり、携帯端末１０と、周辺機器２００と、携帯電話やＰＨＳなどの通信事業者が提供する移動体通信システムの基地局３０と、前記の移動体通信システムを含むインターネットなどの通信ネットワーク４０と、通信ネットワーク４０に接続されたＷＷＷ（Ｗｏｒｌｄ　Ｗｉｄｅ　Ｗｅｂ：ワールドワイドウェブ）サーバ５０と、から構成されている。
【００６３】
携帯端末１０は、図１に示した第１の実施形態、或いは、図３を用いて説明した第２の実施形態における携帯端末１００と同様の機能と構成を有する携帯可能な電話機であるが、インターネットへの接続機能を、更に備えるものとなっている。
【００６４】
周辺機器２００は、図１に示した第１の実施形態における周辺機器２００と同様の機器である。
【００６５】
ＷＷＷサーバ５０は、通信ネットワーク４０上にＷＷＷを開設するサーバ装置であり、第３の実施形態においては、通信ネットワーク４０を介して自己の開設するＷＷＷへのアクセスがあると、携帯端末１０が所望する通信パラメータリストなどを携帯端末１０へダウンロードすることが可能に構成されているものである。
【００６６】
次に、図６を参照して、第３の実施形態の動作について説明する。
【００６７】
図６は、第３の実施形態の動作を説明するフローチャートである。
【００６８】
図６において、携帯端末１０が待ち受けの状態にあるとき（図６のＳ４０１）、周辺機器間通信用送受信部１０８の周辺機器インタフェースの通信パラメータ設定を行うモードを選択されると（Ｓ４０２）、携帯端末１０は、無線接続を行いたい周辺機器に適合する通信パラメータリストを選択するために、先ず、無線接続しようとしている周辺機器が何であるかを認識するための情報が記載されている場所を、表示部１０６にガイダンス表示して（Ｓ４０３）、携帯端末１０の所有者に対し周辺機器の機種名などの撮影を促す。周辺機器が何であるかを認識するための情報が記載されている場所とは、例えば、該当周辺機器本体の保証書に貼付のラベル、などであり、通常、該ラベルには周辺機器の機種名などが記載されている。
【００６９】
その後、携帯端末１０の所有者は、撮像部１１０を用いてガイダンス表示された場所から周辺機器の機種名などの撮影を行う。
【００７０】
携帯端末１０は、撮像部１１０による撮影が完了したかを判定し（Ｓ４０４）、撮影が完了していない場合は（ステップＳ４０４でＮｏ）、ステップＳ４０４に戻り、撮影の完了を待つ。
【００７１】
撮影が完了した場合は（ステップＳ４０４でＹｅｓ）、携帯端末１０は、画像認識・デコード部１１１により、撮影された画像の認識と画像内の文字列のデコードを行い（Ｓ４０５）、周辺機器の機種名などの抽出を行う。抽出した周辺機器の機種名などから、携帯端末１０は、該当周辺機器の通信パラメータリストを自身が保有しているか否かを判定し（Ｓ４０６）、該当周辺機器の通信パラメータリストを保有している場合は（ステップＳ４０６でＹｅｓ）、そのままステップＳ４０８へ進む。該当周辺機器の通信パラメータリストを保有していない場合は（ステップＳ４０６でＮｏ）、インターネット接続機能によりＷＷＷサーバ５０にアクセスして、該当周辺機器の通信パラメータリストをダウンロードして（Ｓ４０７）、次のステップＳ４０８へ進む。
【００７２】
ステップＳ４０７におけるＷＷＷサーバ５０へのアクセスは、携帯端末１０のインターネット接続機能を用いて、送受信部１０２及びアンテナ１０１を介して基地局３０に通信接続し、基地局３０から通信ネットワーク４０を介してＷＷＷサーバ５０に接続することにより行う。従って、携帯端末１０はＷＷＷサーバ５０へ接続するためのＵＲＬ（Ｕｎｉｆｏｒｍ　Ｒｅｓｏｕｒｃｅ　Ｌｏｃａｔｏｒ：ユニフォーム・リソース・ロケーター）を予め知っておく必要があるため、ステップＳ４０５における画像認識・デコードのステップにおいては、周辺機器の機種名だけでなく、ＵＲＬ等の情報をも含んで画像認識・デコードを行うものとする。
【００７３】
該当周辺機器の通信パラメータリストを準備し（ステップＳ４０６でＹｅｓの場合、或いはステップＳ４０７でダウンロードした場合）、その後、携帯端末１０は、準備した通信パラメータのリストに従い、該当通信パラメータ及びその通信パラメータに関する情報が記載されている場所を、表示部１０６にガイダンス表示して（Ｓ４０８）、該当通信パラメータの撮影・画像認識・確定を行い、全ての通信パラメータが確定されると、確定した全ての通信パラメータを、周辺機器間通信用送受信部１０８に設定し保存する（Ｓ４１４）。そして、ステップＳ４０１の待ち受けに戻る。
【００７４】
なお、図６のステップＳ４０８からステップＳ４１４迄の動作ステップは、図２にて説明したステップＳ２０３からステップＳ２０９迄の動作ステップと全く同一である為、これ以上の説明を省略するものとする。
【００７５】
図６を参照して説明したように、第３の実施形態においては、先ず周辺機器の機種名（或いは商品名若しくは商品体系コード）を撮像部１１０で撮影して文字列として認識させると、認識結果の周辺機器種別に最適なウィザードをＷＷＷサーバ５０からダウンロードして、通信パラメータの入力を補助しているものである、という事ができる。
【００７６】
以上説明したように、第３の実施形態によれば、ＷＷＷサーバ５０から通信パラメータのリストをダウンロードできるため、携帯端末１０に予め（携帯端末１０の工場出荷時に）、各種周辺機器の通信パラメータのリストを保持させる必要が無く、かつ、携帯端末１０が使用に供された後に市場に新たに投入された周辺機器であっても、通信パラメータの設定を行うことが可能となる。また、同一種類の周辺機器の通信パラメータを追加で設定する場合には、既にダウンロードしておいた通信パラメータのリストに従って、通信パラメータの撮影及び画像認識・デコードを行わせることが可能であるため、ダウンロードに要する通信費やトラヒックを少なく押さえることが可能となる。
【００７７】
なお、第３の実施形態の携帯端末１０に、更に、周辺機器間通信用送受信部１０８に設定して保存した通信パラメータをファイル化し、ファイル化した通信パラメータを電子メールに添付して他の装置に送信する機能、及び、他の装置からファイル化した通信パラメータを添付した電子メールを受信し、受信した通信パラメータを自身の周辺機器間通信用送受信部１０８に設定する機能、を追加することにより、一層好適な携帯端末１０を得ることが可能となる。上述の追加機能を有する携帯端末１０により、より容易に通信パラメータの設定を行うことが可能となる。
【００７８】
次に、図７、図８を参照して、本発明の第４の実施形態について説明する。
【００７９】
本発明の第４の実施形態は、図５に示した第３の実施形態のＷＷＷサーバ５０が、通信ネットワーク４０を介してＷＷＷサーバ５０の開設するＷＷＷへのアクセスがあると、携帯端末１０に対してＷＥＢ画面を送出する点が、第３の実施形態と異なっているものである。ＷＥＢ画面については後述するものとする。
【００８０】
第４の実施形態の動作について、図７を参照して説明する。
【００８１】
図７は、第４の実施形態の動作を説明するフローチャートである。
【００８２】
図７において、携帯端末１０が待ち受けの状態にあるとき（図７のＳ５０１）、周辺機器間通信用送受信部１０８の周辺機器インタフェースの通信パラメータ設定を行うモードを選択されると（Ｓ５０２）、携帯端末１０は、無線接続を行いたい周辺機器に適合する通信パラメータリストを選択するために、先ず、無線接続しようとしている周辺機器が何であるかを認識するための情報が記載されている場所を、表示部１０６にガイダンス表示して（Ｓ５０３）、携帯端末１０の所有者に対し周辺機器の機種名などの撮影を促す。周辺機器が何であるかを認識するための情報が記載されている場所とは、例えば、該当周辺機器本体の保証書に貼付のラベル、などである。
【００８３】
その後、携帯端末１０の所有者は、撮像部１１０を用いてガイダンス表示された場所から周辺機器の機種名などの撮影を行う。
【００８４】
携帯端末１０は、撮像部１１０による撮影が完了したかを判定し（Ｓ５０４）、撮影が完了していない場合は（ステップＳ５０４でＮｏ）、ステップＳ５０４に戻り、撮影の完了を待つ。
【００８５】
撮影が完了した場合は（ステップＳ５０４でＹｅｓ）、携帯端末１０は、画像認識・デコード部１１１により、撮影された画像の認識と画像内の文字列のデコードを行い（Ｓ５０５）、周辺機器の機種名などの抽出を行う。周辺機器の機種名などを抽出すると、携帯端末１０は、インターネット接続機能によりＷＷＷサーバ５０にアクセスして、ＷＷＷサーバ５０の開設するＷＷＷに接続する（Ｓ５０６）。ＷＷＷに接続して抽出した該当周辺機器の機種名などを携帯端末１０から送出すると、ＷＷＷサーバ５０は、該当周辺機器の通信パラメータを入力させるためのＷＥＢ画面６００を携帯端末１０に送出する。図８はＷＥＢ画面６００の一例を示す図である。
【００８６】
図８では、該当周辺機器（ステップＳ５０５で抽出した周辺機器の機種名など）が、「Ａ社製○○」という機種のパーソナル・コンピュータであった場合を例示しており（図８のａ）、その通信パラメータとしては、「機器ＩＤ番号」（図８のｂ）と「無線アドレス」（図８のｃ）の２つが必要であることを示している。また、それぞれの通信パラメータが、該当周辺機器のどの場所に記載されているかのガイダンスもＷＥＢ画面６００に記載されている（図８のｂ、ｃ）。
【００８７】
ＷＥＢ画面６００は、携帯端末１０の表示部１０６に表示されるので、携帯端末１０の所有者は、ＷＥＢ画面６００にガイダンス表示された通信パラメータの入力ＢＯＸを選択し（Ｓ５０７）、撮像部１１０を用いてガイダンス表示されている場所から通信パラメータを撮影する。
【００８８】
携帯端末１０は、撮像部１１０による撮影が完了したかを判定し（Ｓ５０８），撮影が完了していない場合は（ステップＳ５０８でＮｏ）、ステップＳ５０８に戻り、撮影の完了を待つ。
【００８９】
撮影が完了した場合は（ステップＳ５０８でＹｅｓ）、携帯端末１０は、画像認識・デコード部１１１により、撮影された画像の認識と画像内の文字列のデコードを行い（Ｓ５０９）、デコードの結果を入力ＢＯＸに格納する（Ｓ５１０）。デコードの結果が、例えば、ＷＥＢ画面６００の「機器ＩＤ番号」であれば（図８のｂ）、ＷＥＢ画面６００の▲１▼で示す入力ＢＯＸに格納し、例えば、ＷＥＢ画面６００の「無線アドレス」であれば（図８のｃ）、ＷＥＢ画面６００の▲２▼で示す入力ＢＯＸに格納する。
【００９０】
そして、ＷＥＢ画面６００上に表示されている全ての通信パラメータの入力が完了したかを判定し（Ｓ５１１）、入力が完了していない場合は（ステップＳ５１１でＮｏ）、ステップＳ５０７に戻り、次の通信パラメータの撮影を行わせる。
【００９１】
入力が完了している場合は（ステップＳ５１１でＹｅｓ）、ＷＥＢ画面６００の確定ボタン（図８のｄに示す▲３▼ボタン）を押下することにより、入力結果をＷＷＷサーバ５０にアップロードする（Ｓ５１２）。
【００９２】
ＷＷＷサーバ５０は、ＷＥＢ画面６００にて入力された全ての通信パラメータの決定値を導出するので、携帯端末１０は全ての通信パラメータの決定値をダウンロードして、周辺機器間通信用送受信部１０８に設定し保存する（Ｓ５１３）。そして、ステップＳ５０１の待ち受けに戻る。
【００９３】
以上説明したように、本発明の第４の実施形態によれば、携帯端末１０は、ＷＷＷサーバが所有する最新の情報に従い、常に最適な通信パラメータを選定することが可能となる。
【００９４】
【発明の効果】
以上説明したように、本発明のカメラ付き携帯端末の周辺機器接続設定アシスト方式及びその方法は、携帯端末に内蔵されたカメラにより撮影された画像から、周辺機器を携帯端末に接続するための通信パラメータを抽出し、該通信パラメータを携帯端末の周辺機器インタフェース部に設定することにより、周辺機器の接続設定を支援することができるので、周辺機器ごとに異なる通信パラメータの設定を容易に行わせる事が可能となる、という効果を有している。
【図面の簡単な説明】
【図１】本発明のカメラ付き携帯端末の周辺機器接続設定アシスト方式の一実施形態を示すブロック図である。
【図２】本実施形態の動作を説明するフローチャートである。
【図３】第２の実施形態の携帯端末が保有する周辺機器別通信パラメータリストの一例を示す図である。
【図４】第２の実施形態の動作を説明するフローチャートである。
【図５】本発明の第３の実施形態を示すブロック図である。
【図６】第３の実施形態の動作を説明するフローチャートである。
【図７】第４の実施形態の動作を説明するフローチャートである。
【図８】第４の実施形態のＷＥＢ画面の一例を示す図である。
【符号の説明】
１０　　携帯端末
３０　　基地局
４０　　通信ネットワーク
５０　　ＷＷＷサーバ
１００　　携帯端末
１０１　　アンテナ
１０２　　送受信部
１０３　　制御部
１０４　　受話器
１０５　　送話器
１０６　　表示部
１０７　　操作部
１０８　　周辺機器間通信用送受信部
１０９　　アンテナ
１１０　　撮像部
１１１　　画像認識・デコード部
１２０　　周辺機器別通信パラメータリスト
２００　　周辺機器
６００　　ＷＥＢ画面
【図１】
2004086492.tif 000003
【図２】
2004086492.tif 000004
【図３】
2004086492.tif 000005
【図４】
2004086492.tif 000006
【図５】
2004086492.tif 000007
【図６】
2004086492.tif 000008
【図７】
2004086492.tif 000009
【図８】
2004086492.tif 000010